(57)【要約】【課題】従来のコンピュータにおいて、交換した部品が推奨部品であることをコンピュータで認識することは行われておらず、また、部品の寿命（使用回数や使用時間など）を管理、識別し、適正な部品の消耗度合い、部品交換時期の判断が行えない。【解決手段】電源をオンすると、インターフェース部３Ａ〜３Ｄのアンテナ４Ａ〜４Ｄは、対応して設けられた部品２Ａ〜２ＤのＲＦＩＤ６Ａ〜６Ｄから送信されたＮＶＲＡＭ７Ａ〜７Ｄに格納されている部品情報と寿命情報とを読み取る。識別部５は入力された部品情報が推奨部品情報と一致するかどうか判定し、一致していなければコンピュータ１の起動処理を停止する。また、識別部５は読み取った寿命情報と予め設定されている閾値とを比較し、部品２Ａ〜２Ｄが寿命を超えたと判断された部品がある場合は、コンピュータ１の稼動を停止することで、寿命部品故障によるシステム障害を未然に防ぐことができる。【選択図】図１
2008243114.tif 000002
【特許請求の範囲】
【請求項１】
異なる部品を複数実装すると共に、前記複数の部品のそれぞれに設けられた記憶部に、その部品の稼動回数や稼働時間を含む寿命情報を少なくとも保持しているコンピュータの実装部品管理方法であって、
少なくとも前記コンピュータの電源オン時に、前記複数の部品から前記記憶部に保持されている前記寿命情報を取得する第１のステップと、
取得した前記寿命情報を予め設定されている閾値と比較して、その寿命情報を持つ部品が寿命を越えたか否か判断する第２のステップと、
前記第２のステップにより寿命を越えていないと判断したときは、前記コンピュータを稼動し、寿命を越えたと判断したときは、寿命を越えたことを示す寿命通知を行う第３のステップと
を含むことを特徴とするコンピュータの実装部品管理方法。
【請求項２】
前記第３のステップで寿命通知を行った後、前記コンピュータの稼動を停止する第４のステップを更に含むことを特徴とする請求項１記載のコンピュータの実装部品管理方法。
【請求項３】
前記複数の部品のそれぞれに設けられた前記記憶部には、更にその部品の部品情報が予め記憶されており、前記第１のステップは前記寿命情報と共に前記部品情報を取得し、
その第１のステップで取得した前記部品情報と予め記憶されている推奨部品情報とを比較して、その部品情報を持つ実装部品が推奨部品であるか否かを判断する第５のステップと、
前記第５のステップにより前記実装部品が前記推奨部品でないと判断したときは、前記コンピュータの起動を停止し、前記推奨部品であると判断したときは、前記第２のステップを実行させる第６のステップと
を更に含むことを特徴とする請求項１又は２記載のコンピュータの実装部品管理方法。
【請求項４】
前記第３のステップにより前記コンピュータを稼動したときは前記記憶部に記憶されている前記寿命情報中の前記稼動回数を更新し、前記コンピュータの稼動期間中に、一定時間毎に前記寿命情報中の前記稼動時間を積算更新する第７のステップを更に含むことを特徴とする請求項１又は２記載のコンピュータの実装部品管理方法。
【請求項５】
異なる部品を複数実装すると共に、前記複数の部品のそれぞれに設けられた記憶部に、その部品の稼動回数や稼働時間を含む寿命情報を少なくとも保持しているコンピュータの実装部品管理装置であって、
前記複数の部品のそれぞれに対応して、対応する前記部品の記憶部に保持されている寿命情報を非接触の通信で取得するインターフェース手段と、
取得した前記寿命情報を予め設定されている閾値と比較して、その寿命情報を持つ部品が寿命を越えたか否か判断する比較判断手段と、
前記比較判断手段により寿命を越えていないと判断したときは、前記コンピュータを稼動する稼動手段と、
前記比較判断手段により寿命を越えたと判断したときは、寿命を越えたことを示す寿命通知を行う寿命通知手段と
を有することを特徴とするコンピュータの実装部品管理装置。
【請求項６】
前記寿命通知手段で寿命通知を行った後、前記コンピュータの稼動を停止する稼動停止手段を更に有することを特徴とする請求項５記載のコンピュータの実装部品管理装置。
【請求項７】
前記複数の部品のそれぞれに設けられた前記記憶部には、更にその部品の部品情報が予め記憶されており、前記インターフェース手段は前記寿命情報と共に前記部品情報を取得し、
そのインターフェース手段で取得した前記部品情報と予め記憶されている推奨部品情報とを比較して、その部品情報を持つ実装部品が推奨部品であるか否かを識別し、推奨部品であるときのみ前記比較判断手段による動作を実行させる部品識別手段と、
前記部品識別手段により前記実装部品が前記推奨部品でないと識別したときは、前記コンピュータの起動を停止する起動停止手段と
を更に有することを特徴とする請求項５又は６記載のコンピュータの実装部品管理装置。
【請求項８】
前記稼動手段により前記コンピュータを稼動したときは前記記憶部に記憶されている前記寿命情報中の前記稼動回数を更新し、前記コンピュータの稼動期間中に、一定時間毎に前記寿命情報中の前記稼動時間を積算更新する更新手段を更に有することを特徴とする請求項５又は６記載のコンピュータの実装部品管理装置。
【発明の詳細な説明】
【技術分野】
【０００１】
本発明はコンピュータの実装部品管理方法及び実装部品管理装置に係り、特に部品交換にてメンテナンスされるコンピュータの実装部品の管理方法及び実装部品管理装置に関する。
【背景技術】
【０００２】
コンピュータは数多くの部品から構成されており、そのうち故障や寿命により実装されている部品が所定の機能を実現できなくなったときには、その部品を新品の部品に交換して使用できるようにすることが広く行われている。しかしながら、寿命部品や破損部品の部品交換をしても、一般にはコンピュータで動作保証されている推奨部品が接続・交換されたことを認識することができず、スペック違反の部品に交換されたりすることで、２次問題を引き起こしたりする問題がある。そこで、交換した部品が推奨部品であることをコンピュータで認識する必要がある。
【０００３】
なお、コンピュータではないが、部品実装機において、基板上に装着される電子部品を吸着するノズルが誤って装着されたまま部品実装処理が行われるのを防止するため、ノズルのＩＣタグをスキャンしてノズル情報を取得してノズル取り付けが正常であるかどうか判断し、ノズル取り付けが正常でない場合は、警告表示や音や光による警告を行う方法が従来知られている（例えば、特許文献１及び特許文献２参照）。
【０００４】
【特許文献１】特開２００６−１０８１３８号公報（第１０頁）
【特許文献２】特開２００６−１０８３２２号公報（第９−１２頁）
【発明の開示】
【発明が解決しようとする課題】
【０００５】
しかしながら、従来のコンピュータにおいて、交換した部品が推奨部品であることをコンピュータで認識することは行われておらず、前述した２次問題を引き起こす可能性がある。また、特許文献１及び２に記載の正常なノズル取り付けの識別方法をコンピュータの推奨部品取り付けの識別方法に適用した場合は、単に交換した部品が推奨部品であるか否かの識別しかできず、部品の寿命（使用回数や使用時間など）を管理、識別し、適正な部品の消耗度合い、部品交換時期の判断が行えない。
【０００６】
本発明は以上の点に鑑みなされたもので、交換した実装部品の識別だけでなく、実装部品の寿命管理を行い得るコンピュータの実装部品管理方法及び実装部品管理装置を提供することを目的とする。
【課題を解決するための手段】
【０００７】
上記の目的を達成するため、本発明は異なる部品を複数実装すると共に、複数の部品のそれぞれに設けられた記憶部に、その部品の稼動回数や稼働時間を含む寿命情報を少なくとも保持しているコンピュータの実装部品管理方法であって、
少なくともコンピュータの電源オン時に、複数の部品から記憶部に保持されている寿命情報を取得する第１のステップと、取得した寿命情報を予め設定されている閾値と比較して、その寿命情報を持つ部品が寿命を越えたか否か判断する第２のステップと、第２のステップにより寿命を越えていないと判断したときは、コンピュータを稼動し、寿命を越えたと判断したときは、寿命を越えたことを示す寿命通知を行う第３のステップとを含むことを特徴とする。
【０００８】
また、上記の目的を達成するため、本発明は異なる部品を複数実装すると共に、複数の部品のそれぞれに設けられた記憶部に、その部品の稼動回数や稼働時間を含む寿命情報を少なくとも保持しているコンピュータの実装部品管理装置であって、
複数の部品のそれぞれに対応して、対応する部品の記憶部に保持されている寿命情報を非接触の通信で取得するインターフェース手段と、取得した寿命情報を予め設定されている閾値と比較して、その寿命情報を持つ部品が寿命を越えたか否か判断する比較判断手段と、比較判断手段により寿命を越えていないと判断したときは、コンピュータを稼動する稼動手段と、比較判断手段により寿命を越えたと判断したときは、寿命を越えたことを示す寿命通知を行う寿命通知手段とを有することを特徴とする。
【０００９】
本発明のコンピュータの実装部品管理方法及び実装部品管理装置では、コンピュータの各実装部品に設けた記憶部から取得した寿命情報を、予め設定されている閾値と比較して、各部品毎に寿命を越えたたかどうかを判断し、寿命を越えたときにはその旨をユーザに通知するようにしたため、製品寿命よりも短い期間で寿命となる部品の故障を未然に検知することができ、また、実装部品の寿命時期を適正に判断することができる。
【００１０】
ここで、上記の寿命通知を行った後、コンピュータの稼動を停止するようにしてもよい。また、本発明は、上記の複数の部品のそれぞれに設けられた記憶部には、更にその部品の部品情報が予め記憶した場合は、寿命情報と共に部品情報を取得し、その部品情報と予め記憶されている推奨部品情報とを比較して、その部品情報を持つ実装部品が推奨部品であるか否かを判断し、実装部品が推奨部品でないと判断したときは、コンピュータの起動を停止し、推奨部品であると判断したときは、寿命の比較判定を実行させる手段を更に有する構成としてもよい。この発明では、推奨されていない部品情報を持つ部品が実装されたときは起動を停止し、稼動が不可能にできると共に、間違った部品の実装により稼動させることがなくなる。
【００１１】
また、上記の目的を達成するため、本発明はコンピュータを稼動したときは記憶部に記憶されている寿命情報中の稼動回数を更新し、コンピュータの稼動期間中に、一定時間毎に寿命情報中の稼動時間を積算更新する手段を更に有してもよい。この発明では、常に各部品に設けられた記憶部の稼動回数又は稼働時間を最新の状態とすることができ、寿命判断の信頼性を向上できる。
【発明の効果】
【００１２】
本発明によれば、製品寿命よりも短い期間で寿命となる部品の故障を未然に検知することができ、また、実装部品の寿命時期を適正に判断することができるため、部品寿命による故障発生を回避して、コンピュータの動作の信頼性を向上することができると共に、ユーザが実装部品の寿命に気付かずに使い続けた際の、寿命部品故障によるシステム障害を未然に防止することができる。
【００１３】
また、本発明によれば、実装部品の寿命時期を判断可能となるので、ユーザからの自発的な寿命部品交換を促すことができる。
【００１４】
更に、本発明によれば、推奨されていない部品情報を持つ部品が実装されたときは起動を停止し、稼動が不可能なようにしたため、推奨部品のみを実装させて稼動することでコンピュータの障害率を安定させることができると共に、間違った部品の実装により稼動させることがなくなるため、推奨部品のみが利用できることにより、交換部品の所要が安定し、定期交換部品などの所要変更予測が立てやすくできる。
【発明を実施するための最良の形態】
【００１５】
次に、本発明の実施の形態について図面を参照して詳細に説明する。図１は本発明になるコンピュータの実装部品管理方法及び管理装置の一実施の形態を備えたコンピュータの概略構成図を示す。同図において、コンピュータ１には、部品２Ａ、２Ｂ、２Ｃ及び２Ｄと、インターフェース部３Ａ、３Ｂ、３Ｃ及び３Ｄと、識別部５とから大略構成されている。インターフェース部３Ａ、３Ｂ、３Ｃ及び３Ｄは、それぞれアンテナ４Ａ、４Ｂ、４Ｃ及び４Ｄを有している。また、部品２Ａ、２Ｂ、２Ｃ及び２Ｄのそれぞれには、非接触型のＩＣチップであるＲＦＩＤ(Radio Frequency Identification)６Ａ、６Ｂ、６Ｃ及び６Ｄが組み込まれている。なお、部品２Ａ〜２Ｄの具体例としては、例えば、ファン、ハードディスク、ＤＶＤドライブ、ＦＤドライブなどがある。
【００１６】
このＲＦＩＤ６Ａ、６Ｂ、６Ｃ及び６Ｄには、それぞれ不揮発性メモリであるＮＶＲＡＭ（Non-Volatile Random Access Memory）７Ａ、７Ｂ、７Ｃ及び７Ｄが実装されており、そのＮＶＲＡＭ７Ａ、７Ｂ、７Ｃ及び７Ｄに予め格納されているその部品の寿命情報と部品情報を、インターフェース部３Ａ、３Ｂ、３Ｃ及び３Ｄのアンテナ４Ａ、４Ｂ、４Ｃ及び４Ｄに送信する機能を有する。
【００１７】
上記の寿命情報には、製造年月日、寿命年月日、寿命回数又は時間、寿命属性（カウント時間や回数を規定）、稼動回数又は時間積算情報（部品製造時にオールゼロとし、寿命属性に合わせ時間や回数を記録する）がある。また、上記の部品情報は部品名などの情報からなる。識別部５は情報テーブル８を有しており、インターフェース部３Ａ、３Ｂ、３Ｃ及び３Ｄを介して入力される上記の寿命情報及び部品情報から情報テーブル８を用いて搭載された部品２Ａ、２Ｂ、２Ｃ及び２Ｄの寿命や部品が推奨部品であるか否かを識別する。
【００１８】
次に、本実施の形態の動作について図２のフローチャートを併せ参照して説明する。まず、コンピュータ１の電源をオン（ＯＮ）とすると、インターフェース部３Ａ〜３Ｄのアンテナ４Ａ〜４Ｄは、対応して設けられた部品２Ａ〜２ＤのＲＦＩＤ６Ａ〜６Ｄから送信されたＮＶＲＡＭ７Ａ〜７Ｄに格納されている部品情報と寿命情報とを読み取る（ステップＳ１）。この読み取られた部品情報と寿命情報とは、インターフェース部３Ａ〜３Ｄを介して識別部５に供給される。
【００１９】
識別部５は情報テーブル８を参照して入力された部品情報が情報テーブル８に予め格納されているコンピュータ１の動作を保障する推奨部品情報と一致するかどうか判定し（ステップＳ２）、推奨部品情報と読み取った部品情報が一致していなければ、コンピュータ１の正常動作を保障できないので、識別部５は起動途中で警告を発し、コンピュータ１の起動処理を停止する（ステップＳ３）。
【００２０】
他方、ステップＳ２で推奨部品情報と読み取った部品情報が一致していると判定されたときは、識別部５はコンピュータ１の起動処理を継続し（正常起動し）、続いて読み取った寿命情報の寿命属性に定義されている稼動回数又は時間積算情報に、時間又は回数分の積算カウントを行う（ステップＳ５）。
【００２１】
続いて、識別部５は読み取った寿命情報から「寿命年月日」、「寿命回数又は時間」を読み取り、「寿命年月日」と現在のシステム年月日、予め設定されている「寿命回数又は時間」の閾値とステップＳ５で得た「稼動回数又は時間積算情報」とを比較し、実装されている部品２Ａ〜２Ｄが寿命を超えたかどうか判断する（ステップＳ６）。寿命を超えていない場合は、所定時間経過後に時間積算情報を更新し（ステップＳ５）、再び寿命かどうかの判断を行う（ステップＳ６）。
【００２２】
他方、寿命を越えたと判断された部品がある場合は、その部品が寿命を超えたことをコンピュータ１のユーザに示す寿命通知を行った後（ステップＳ７）、コンピュータ１の稼動を停止する（ステップＳ８）。なお、ステップＳ６での寿命を越えたかどうかの判断は、本来の寿命よりもある程度の猶予期間を持たせて、本来の寿命よりも上記猶予期間直前の時点を過ぎたときに上記のステップＳ７の寿命通知を行い、それにより、保守員を呼ぶなどさせるようにしてもよく、また、上記の寿命通知後も稼動を続けて上記の猶予期間を過ぎた時点で（本来の寿命を越えた時点で）ステップＳ８の稼動停止を行うようにしてもよい。
【００２３】
これにより、本実施の形態によれば、部品２Ａ〜２Ｄが推奨部品であるか否かの識別ができると共に、製品寿命よりも短い期間で寿命となる部品の故障を未然に検知することができ、また、実装部品の寿命を適正に判断することができるので、ユーザが寿命に気付かずに使い続けた際の、寿命部品故障によるシステム障害を未然に防ぐことができる。また、本実施の形態によれば、部品の寿命時期を判断可能となるので、ユーザからの自発的な寿命部品交換を促すこともできる。
【産業上の利用可能性】
【００２４】
本発明の活用例としては、コンピュータに接続される部品の識別方法と寿命部品の寿命識別方法がある。寿命回数又は時間にマージンを持つことで、寿命による部品故障を著しく低減でき、より高信頼性が求められる用途への採用が可能となる。また、コンピュータの売買や譲渡の際、各部品の寿命情報を部品自体が持つため、各部品の消耗具合を適切に判断し、適正価格を算出することが可能となる。
【図面の簡単な説明】
【００２５】
【図１】本発明のコンピュータの実装部品管理方法及び管理装置の一実施の形態を備えたコンピュータの概略構成図である。
【図２】図１の管理方法説明用フローチャートである。
【符号の説明】
【００２６】
１  コンピュータ
２Ａ、２Ｂ、２Ｃ、２Ｄ  部品
３Ａ、３Ｂ、３Ｃ、３Ｄ  インターフェース部
４Ａ、４Ｂ、４Ｃ、４Ｄ  アンテナ
５  識別部
６Ａ、６Ｂ、６Ｃ、６Ｄ  ＲＦＩＤ(Radio Frequency Identification)
７Ａ、７Ｂ、７Ｃ、７Ｄ  ＮＶＲＡＭ（Non-Volatile Random Access Memory）
８  情報テーブル
【図１】
2008243114.tif 000003
【図２】
2008243114.tif 000004